(57)【要約】【課題】焦点検出を行うためのフォーカスポイントとして選択可能に表示すること。【解決手段】制御部２２は、撮影画面内で検出される高輝度領域の輝度情報と各フォーカスポイントごとの輝度情報とを検出し、高輝度領域の輝度情報とフォーカス検出領域ごとの輝度情報とを比較した結果に基づいて、複数のフォーカスポイントの少なくとも一部を、焦点検出を行うためのフォーカスポイントとして選択可能に表示する。【選択図】図１
2010266503.tif 000002
【特許請求の範囲】
【請求項１】
撮影画面内に複数のフォーカス検出領域を有するカメラであって、
前記撮影画面内で検出される高輝度領域の輝度情報と前記フォーカス検出領域ごとの輝度情報とを検出する検出手段と、
前記高輝度領域の前記輝度情報と前記フォーカス検出領域ごとの前記輝度情報とを比較した結果に基づいて、前記複数のフォーカス検出領域の少なくとも一部を、焦点検出を行うための前記フォーカス検出領域として選択可能に表示する表示手段とを備えることを特徴とするカメラ。
【請求項２】
請求項１に記載のカメラにおいて、
前記複数のフォーカス検出領域は、前記撮影画面内で縦横複数列ずつ配されており、
前記高輝度領域の前記輝度情報は、前記撮影画面内の最も上側の横一列に配された前記フォーカス検出領域で検出された前記輝度情報を少なくとも含むことを特徴とするカメラ。
【請求項３】
請求項１または２に記載のカメラにおいて、
前記カメラを操作する操作者により、前記焦点調節を行うための前記フォーカス検出領域を選択可能な操作手段をさらに備え、
前記検出手段は、前記フォーカス検出領域ごとの輝度情報を繰り返し検出し、
前記表示手段は、前記検出手段が前記検出を行うごとに、選択的に表示する前記フォーカス検出領域を更新するとともに、前記操作手段が前記操作者によって操作されている間は前記更新を行わないことを特徴とするカメラ。
【請求項４】
請求項１〜３のいずれか一項に記載のカメラにおいて、
前記表示手段により選択可能な前記フォーカス検出領域を表示している間に、前記撮影画面内の構図が変化したか否かを確認する確認手段をさらに備えることを特徴とするカメラ。
【請求項５】
請求項１〜４のいずれか一項に記載のカメラにおいて、
前記検出手段は、前記撮影画面内の領域を複数の分割領域に分割して測光し、前記分割領域の測光結果を用いて、当該分割領域に対応する前記フォーカス検出領域の輝度情報を検出することを特徴とするカメラ。
【請求項６】
請求項１〜５のいずれか一項に記載のカメラにおいて、
前記表示手段は、前記高輝度領域の前記輝度情報と前記フォーカス検出領域ごとの前記輝度情報とを比較した結果と、色情報とに基づいて、前記複数のフォーカス検出領域の少なくとも一部を選択可能に表示することを特徴とするカメラ。
【請求項７】
撮影画面内に複数のフォーカス検出領域を有するカメラに、
前記撮影画面内で検出される高輝度領域の輝度情報と前期フォーカス検出領域ごとの輝度情報とを検出させ、
前記高輝度領域の前記輝度情報と前記フォーカス検出領域ごとの前記輝度情報とを比較した結果に基づいて、前記複数のフォーカス検出領域の少なくとも一部を、焦点調節を行うための前記フォーカス検出領域として選択可能に表示させるためのフォーカス検出領域表示プログラム。
【発明の詳細な説明】
【技術分野】
【０００１】
本発明は、カメラ、およびフォーカス検出領域表示プログラムに関する。
【背景技術】
【０００２】
次のような視線検出装置が知られている。この視線検出装置は、撮影者の視線を検出してフォーカスポイントを決定することにより、複数のフォーカスポイントの中から使用者が意図するフォーカスポイントを自動で検出している（例えば、特許文献１）。
【先行技術文献】
【特許文献】
【０００３】
【特許文献１】特開２００４−１２９９２７号公報
【発明の概要】
【発明が解決しようとする課題】
【０００４】
しかしながら、複数のフォーカスポイントの中から撮影者が意図するフォーカスポイントを選択するために従来の視線検出装置を用いるようにした場合には、カメラの構成が複雑化し、コストアップにつながるという問題があった。
【課題を解決するための手段】
【０００５】
本発明によるカメラは、撮影画面内に複数のフォーカス検出領域を有し、撮影画面内で検出される高輝度領域の輝度情報とフォーカス検出領域ごとの輝度情報とを検出する検出手段と、高輝度領域の輝度情報とフォーカス検出領域ごとの輝度情報とを比較した結果に基づいて、複数のフォーカス検出領域の少なくとも一部を、焦点検出を行うためのフォーカス検出領域として選択可能に表示する表示手段とを備えることを特徴とする。
本発明では、複数のフォーカス検出領域は、撮影画面内で縦横複数列ずつ配されており、高輝度領域の輝度情報は、撮影画面内の最も上側の横一列に配されたフォーカス検出領域で検出された輝度情報を少なくとも含むようにしてもよい。
カメラを操作する操作者により、焦点調節を行うためのフォーカス検出領域を選択可能な操作手段をさらに備え、検出手段は、フォーカス検出領域ごとの輝度情報を繰り返し検出し、表示手段は、検出手段が検出を行うごとに、選択的に表示するフォーカス検出領域を更新するとともに、操作手段が操作者によって操作されている間は更新を行わないようにしてもよい。
表示手段により選択可能なフォーカス検出領域を表示している間に、撮影画面内の構図が変化したか否かを確認する確認手段をさらに備えるようにしてもよい。
検出手段は、撮影画面内の領域を複数の分割領域に分割して測光し、分割領域の測光結果を用いて、当該分割領域に対応するフォーカス検出領域の輝度情報を検出するようにしてもよい。
表示手段は、高輝度領域の輝度情報とフォーカス検出領域ごとの輝度情報とを比較した結果と、色情報とに基づいて、複数のフォーカス検出領域の少なくとも一部を選択可能に表示するようにしてもよい。
本発明によるフォーカス検出領域表示プログラムは、撮影画面内に多数のフォーカス検出領域を有するカメラに、フォーカス検出領域ごとに被写界の情報を検出する検出手順と、被写界の情報に基づいて、選択可能な複数のフォーカス検出領域を表示する表示手順とを実行させることを特徴とする。
【発明の効果】
【０００６】
本発明によれば、簡易な構成により使用者が意図するフォーカスポイントを選択することができ、コスト的に有利となる。
【図面の簡単な説明】
【０００７】
【図１】第１の実施の形態におけるデジタルカメラの一実施の形態の構成を示すブロック図である。
【図２】第１の実施の形態における撮影画面内のフォーカスポイントおよびファインダに表示されるフォーカスポイント枠の具体例を示す図である。
【図３】第１の実施の形態における焦点調節処理の流れを示すフローチャート図である。
【図４】第２の実施の形態における焦点調節処理の流れを示すフローチャート図である。
【図５】第２の実施の形態における撮影画面内のフォーカスポイントおよびファインダに表示されるフォーカスポイント枠の具体例を示す図である。
【発明を実施するための形態】
【０００８】
―第１の実施の形態―
図１は、第１の実施の形態におけるデジタルカメラの一実施の形態の構成を示すブロック図である。デジタルカメラ１００は、撮影レンズ１０と、ミラー部１２と、ファインダ１４と、測光センサ１５と、撮像素子（例えばＣＣＤ）１６と、液晶モニタ１８と、操作部材２０と、制御部２２と、フォーカス制御部２４と、測距部２６と、シャッターボタン２８と、レンズ通信部３０とを備えている。
【０００９】
撮影レンズ１０は、不図示の焦点調節レンズ（ＡＦレンズ）やズームレンズを含んでいる。撮影レンズ１０は、フォーカス制御部２４およびレンズ通信部３０を介して制御部２２によって制御される。なお、フォーカス制御部２４は、制御部２２からの制御に基づいてＡＦレンズを駆動することにより、焦点調節を行うことができる。また、ミラー部１２は、メインミラー１２ａと、サブミラー１２ｂとを含んでいる。また、ファインダ１４は、プリズム１４ａと、フォーカスポイント表示部１４ｂと、スクリーン１４ｃとを備えている。
【００１０】
デジタルカメラ１００においては、被写体からの光は、撮影レンズ１０を介してミラー部１２へ入射される。ミラー部１２へ入射した被写体光は、シャッターボタン２８が操作される前（レリーズ前）は破線で示す経路でファインダ１４へ導かれ、接眼レンズを介して撮影者により観察される。具体的には、ミラー部１２へ入射した被写体光は、メインミラー１２ａによってファインダ１４へ導かれ、スクリーン１４ｃに結像する。スクリーン１４ｃに結像した被写体光はさらに、フォーカスポイント表示部１４ｂを通過してプリズム１４ａへ入射し、プリズム１４ａで反射されて接眼レンズへ導かれる。また、被写体光は、プリズム１４ａで反射されて測光センサ１５へも導かれ、測光センサ１５によって測光が行われる。測光センサ１５は、撮影画面内の領域を複数の分割領域に分割して測光し、測光によって得られる輝度情報や色情報を測光情報として制御部２２へ出力する。測光センサ１５による測光は、シャッターボタン２８が半押しされている間、所定の周期で繰り返し行われる。
【００１１】
また、ミラー部１２へ入射した被写体光の一部はサブミラー１２ｂで下方へ反射され、測距部２６へ入射する。測距部２６は、入射された被写体光に基づいて被写体までの距離を計測し、その測距データを制御部２２へ出力する。また、シャッターボタン２８が全押しされた後（レリーズ後）は、ミラー部１２へ入射した被写体光は、メインミラー１２ａを介さずに実線で示す経路でＣＣＤ１６へ導かれる。ＣＣＤ１６は、撮像面上の被写体像を撮像して、画像信号を制御部２２へ出力する。
【００１２】
制御部２２は、ＣＰＵ、メモリ、およびその他の周辺回路により構成され、デジタルカメラ１００全体を制御する。なお、制御部２２を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御部２２が実行するプログラムのデータや、プログラム実行時に読み込まれる種々のパラメータなどが記録されている。
【００１３】
制御部２２は、ＣＣＤ１６から入力される画像信号に対して、種々の画像処理を施して画像データを生成する。また、制御部２２は、撮影に当たっては、シャッターボタン２８が半押しされたタイミングで後述する焦点調節処理を行って焦点調節を行う。なお、本実施の形態におけるデジタルカメラ１００は、図２（ａ）に示すように、撮影画面内に複数のフォーカス検出領域（フォーカスポイント）を有しており、図２（ｃ）に示すように、フォーカスポイント表示部１４ｂにフォーカスポイントを示す枠（フォーカスポイント枠）を表示することにより、ファインダ１４内で被写体上にフォーカスポイント枠を重畳して表示することができる。
【００１４】
なお、撮影画面内における複数のフォーカスポイントは、撮影画面内で縦横複数列ずつ配されており、図２（ａ）に示す例では、縦ｍ列×横ｎ列のフォーカスポイントが配置されている。また、撮影画面内における各フォーカスポイントの位置は、撮影画面内の左下を原点として横位置ｘと縦位置ｙにより表される。例えば、撮影画面内の左下のフォーカスポイント２ａの位置は（１，１）と表され、撮影画面内の右下のフォーカスポイント２ｂの位置は（ｎ，１）と表される。また、撮影画面内の右上のフォーカスポイント２ｃの位置は（ｎ，ｍ）と表され、フォーカスポイント２ｃの１つ下のフォーカスポイント２ｄの位置は（ｎ，ｍ−１）と表される。
【００１５】
本実施の形態では、制御部２２は、図２（ｃ）に示すように、撮影画面内の複数のフォーカスポイントのうち、被写体が存在する可能性が高い位置にのみフォーカスポイント枠を表示し、表示したフォーカスポイント枠の中から、使用者が焦点検出を行うために用いるフォーカスポイント枠を選択できるようにする。そして、制御部２２は、使用者によって選択されたフォーカスポイント枠に対応するフォーカスポイントを対象として焦点調節を行う。以下、図３を用いて本実施の形態における焦点調節処理について説明する。
【００１６】
図３は、第１の実施の形態における焦点調節処理の流れを示したフローチャートである。図３に示す処理は、使用者によってシャッターボタン２８が半押しされると起動するプログラムとして、制御部２２によって実行される。
【００１７】
ステップＳ１０１において、制御部２２は、シャッターボタン２８が半押しされてからの経過時間を計時するための半押しタイマをオンにして、ステップＳ１０２へ進む。ステップＳ１０２では、制御部２２は、フォーカスポイント表示部１４ｂを制御して、図２に示した撮影画面内の複数のフォーカスポイントのうち、前回の撮影時に焦点検出に用いたフォーカスポイント上にフォーカスポイント枠を初期表示する。
【００１８】
前回の撮影時に焦点検出に用いたフォーカスポイントの位置情報は、フラッシュメモリに記憶しておき、制御部２２は、フラッシュメモリから当該位置情報を読み出すことにより、前回の撮影時に焦点検出に用いたフォーカスポイントを特定して、フォーカスポイント枠を初期表示する。なお、本実施の形態では、前回の撮影時に焦点検出に用いたフォーカスポイントを対象としてフォーカスポイント枠を初期表示するが、初期表示するフォーカスポイント枠はこれに限定されず、例えば、撮影画面内の中央に配置されているフォーカスポイントを対象としてフォーカスポイント枠を初期表示してもよい。
【００１９】
その後、ステップＳ１０３へ進み、制御部２２は、被写体に重畳して表示するフォーカスポイント枠の絞り込みを行うか否かを判断する。フォーカスポイント枠の絞り込みを行うか否かは、設定メニュー上で使用者によってあらかじめ設定されており、制御部２２は、該当するメニュー項目の設定値を参照することにより、当該判断を行う。ステップＳ１０３で否定判断した場合には、処理を終了する。これに対して、ステップＳ１０３で肯定判断した場合には、ステップＳ１０４へ進む。
【００２０】
ステップＳ１０４では、制御部２２は、撮影画面内に配置された複数のフォーカスポイントのうちの、一部の領域内に配置されているフォーカスポイントに対応する測光情報を測光センサ１５から取得する。そして、制御部２２は、取得した測光情報に含まれる輝度値の平均値（平均輝度）ＢＶａｖｅを算出する。本実施の形態では、制御部２２は、撮影画面内の上部の領域であるｍ列とｍ−１列とに配置されているフォーカスポイントに対応する平均輝度ＢＶａｖｅを算出する。
【００２１】
その後、ステップＳ１０５へ進み、制御部２２は、ステップＳ１０４で算出した平均輝度ＢＶａｖｅから、あらかじめ設定されている所定の輝度値α、例えば２を減算した値と、撮影画面内に配置されている各フォーカスポイントの輝度値ＢＶｘｙとの大小関係を比較し、次式（１）に示す大小関係が成り立つフォーカスポイントが存在するか否かを判断する。
ＢＶａｖｅ−α＞ＢＶｘｙ  ・・・（１）
【００２２】
ステップＳ１０５で否定判断した場合には、撮影画面内には被写体が存在している可能性が高い領域が存在しないと判断できることから、後述するステップＳ１０７へ進む。
【００２３】
これに対して、ステップＳ１０５で肯定判断した場合には、ステップＳ１０６へ進み、制御部２２は、上記式（１）を満たすフォーカスポイント上に、図２（ｃ）に示したフォーカスポイント枠を表示して、ステップＳ１０６１へ進む。ステップＳ１０６１では、制御部２２は、撮影画面内の全てのフォーカスポイントについて、ステップＳ１０５およびステップＳ１０６の処理を完了したか否かを判断する。ステップＳ１０６１で否定判断した場合には、ステップＳ１０５へ戻る。これに対して、ステップＳ１０６１で肯定判断した場合には、ステップＳ１０７へ進む。
【００２４】
これにより、撮影画面内の被写体が存在している可能性が高い範囲にフォーカスポイント枠を表示することができる。すなわち、図２（ａ）に示したｍ列とｍ−１列のような撮影画面内の上部には空が存在している可能性が高く、このような高輝度領域を対象として算出した平均輝度ＢＶａｖｅは大きい値となる。また、撮影画面内で被写体が存在する領域の輝度は、空を対象として算出した平均輝度ＢＶａｖｅよりも小さい可能性が高いため、平均輝度ＢＶａｖｅから所定輝度値αを減算した値よりもさらに輝度値ＢＶｘｙが小さいフォーカスポイントには、被写体が存在している可能性が高いと判断できる。よって、式（１）を満たすフォーカスポイント上にフォーカスポイント枠を表示することにより、撮影画面内の被写体が存在している可能性が高い範囲にフォーカスポイント枠を表示することができる。
【００２５】
使用者は、接眼レンズを介してファインダ１４を覗くことにより、ステップＳ１０６で表示されたフォーカスポイント枠が表示された撮影画面を確認することができる。そして、使用者は、操作部材２０を操作して、表示されたフォーカスポイント枠の中から合焦させたい被写体上に表示されている１つのフォーカスポイント枠を選択することにより、焦点調節処理で焦点検出に用いるフォーカスポイントを選択することができる。
【００２６】
例えば、制御部２２は、ステップＳ１０６で撮影画面内の被写体が存在している可能性が高い範囲にフォーカスポイント枠を表示するとともに、そのうちのいずれか１つのフォーカスポイント枠をデフォルトで選択しておく。なお、選択中のフォーカスポイント枠は、他のフォーカスポイント枠よりも太枠で表示したり、枠を点滅表示したり、他のフォーカスポイント枠とは異なる色で表示するなどして、フォーカスポイント枠の選択状態を使用者が認識できるようにする。そして、使用者は、操作部材２０を操作して、選択中のフォーカスポイントを切り換えることができる。
【００２７】
ステップＳ１０７では、制御部２２は、各フォーカスポイントに対応した輝度値ＢＶｘｙの変化量に基づいて、使用者が構図を変更したか否かを判断する。すなわち、各フォーカスポイント（１，１）〜（ｎ，ｍ）に対応した輝度値ＢＶｘｙをそれぞれ算出したものの合計の変化量を検出して、その変化量が所定値以上であれば構図が変化したと判断し、変化量が所定値未満であれば構図は変化していないと判断する。ステップＳ１０７で肯定判断した場合には、変化後の構図を対象として、改めて被写体が存在する可能性が高い領域にフォーカスポイント枠を表示するために、ステップＳ１０４へ戻って処理を繰り返す。これに対して、ステップＳ１０７で否定判断した場合には、ステップＳ１０８へ進む。
【００２８】
ステップＳ１０８では、制御部２２は、ステップＳ１０６で表示したフォーカスポイント枠の中で使用者によって選択中のフォーカスポイント枠が他のフォーカスポイント枠に移動されたか否かを判断する。ステップＳ１０８で肯定判断した場合には、フォーカスポイント枠の選択変更に伴って構図も変化した可能性があることから、ステップＳ１０７へ戻って処理を繰り返す。これに対して、ステップＳ１０８で否定判断した場合には、ステップＳ１０８１へ進む。
【００２９】
ステップＳ１０８１では、制御部２２は、フォーカス制御部２４を制御して、現在選択されているフォーカスポイント枠に対応するフォーカスポイントを焦点検出に用いて焦点調節処理（ＡＦ処理）を行って焦点調節を行う。なお、焦点調節処理においては、位相差方式等により焦点調節を行うものとし、ここでは詳細な説明を省略する。その後、ステップＳ１０９へ進む。
【００３０】
ステップＳ１０９では、制御部２２は、使用者によってレリーズボタンが全押しされて撮影が指示されたか否かを判断する。ステップＳ１０９で肯定判断した場合には、ステップＳ１０９１へ進む。ステップＳ１０９１では、撮影処理を行なう。例えば、制御部２２は、ＣＣＤ１６から入力される画像信号に対して、種々の画像処理を施して画像データを生成し、これを所定の画像形式、例えばＪＰＥＧ形式等に圧縮して画像ファイルを生成して、不図示のメモリカードに記録する。その後、ステップＳ１０７へ戻って処理を繰り返す。
【００３１】
これに対して、ステップＳ１０９で否定判断した場合には、ステップＳ１１０へ進み、制御部２２は、半押しタイマオンからの経過時間があらかじめ設定されている所定時間に到達したことにより、半押しタイマがオフになったか否かを判断する。ステップＳ１１０で否定判断した場合には、ステップＳ１０７へ戻って処理を繰り返す。これに対して、ステップＳ１１０で肯定判断した場合には、処理を終了する。
【００３２】
以上説明した第１の実施の形態によれば、以下のような作用効果を得ることができる。
（１）制御部２２は、撮影画面内で検出される高輝度領域の輝度情報と各フォーカスポイントごとの輝度情報とを検出し、高輝度領域の輝度情報とフォーカスポイントごとの輝度情報とを比較した結果に基づいて、複数のフォーカスポイントの少なくとも一部を、焦点検出を行うためのフォーカスポイントとして選択可能に、フォーカスポイント表示部１４ｂに表示するようにした。これによって、撮影画面内の被写体が存在している可能性が高い範囲にフォーカスポイント枠を表示することができる。また、フォーカスポイントが多数存在していても、被写体が存在している可能性が高い範囲にフォーカスポイント枠を選択可能に表示するので、フォーカスポイントの選択が煩雑になることがない。
【００３３】
（２）複数のフォーカスポイントは、撮影画面内で縦横複数列ずつ（ｍ列×ｎ列）配されており、高輝度領域の輝度情報として、撮影画面内の上側であるｍ列とｍ−１列に配されたフォーカスポイントで検出された輝度情報を用いるようにした。撮影画面内の上部には空が存在している可能性が高いため、撮影画面の上側を対象として輝度情報を検出すれば、高輝度領域の輝度情報を取得することができる。また、被写体が存在している可能性が高い範囲の輝度情報は、高輝度領域の輝度情報よりも低い可能性が高いため、精度高く撮影画面内における被写体存在領域を特定することができる。制御部２２は、測光センサ１５が測光を行うごとにフォーカスポイント表示部１４ｂに表示させる選択可能なフォーカスポイントの情報を更新するのが好ましい。これにより最新の測光情報を反映させることができる。また、制御部２２は、使用者がフォーカスポイントの選択を行っている間は、表示させている選択可能なフォーカスポイントの情報を変更しないのが好ましい。これにより、使用者がフォーカスポイントの選択を最後まで行うことができる。
【００３４】
（３）制御部２２は、ファインダに選択可能なフォーカスポイントを表示している間に撮影画面内の構図が変化したか否かを確認するようにし、構図が変化した場合には、改めて処理を行って、新たな構図に対応したフォーカスポイント枠の表示を行うようにした。これによって、フォーカスポイント枠の選択を行っている間に構図が変化した場合であっても、そのときの構図に応じて適切なフォーカスポイント枠を表示することができる。
【００３５】
（４）測光センサ１５は、撮影画面内の領域を複数の分割領域に分割して測光し、制御部２２は、分割領域の測光結果を用いて、分割領域に対応するフォーカスポイントの輝度情報を検出するようにした。これによって、測光センサ１５からの出力に基づいて、各フォーカスポイントの輝度情報を検出することができる。
【００３６】
―第２の実施の形態―
上述した第１の実施の形態では、制御部２２は、式（１）を用いて、測光センサ１５から出力される測光情報に含まれる輝度情報に基づいて撮影画面内にフォーカスポイント枠を表示する例について説明した。これに対して、第２の実施の形態では、制御部２２は、測光センサ１５から出力される測光情報に含まれる色情報に基づいて撮影画面内にフォーカスポイント枠を表示する例について説明する。なお、第２の実施の形態では、図１に示したブロック図、および図２（ａ）と（ｂ）に示したフォーカスポイントとフォーカスポイント枠を示す図については、第１の実施の形態と同様のため、説明を省略する。
【００３７】
図４は、第２の実施の形態における焦点調節処理の流れを示したフローチャートである。図４に示す処理は、使用者によってシャッターボタン２８が半押しされると起動するプログラムとして、制御部２２によって実行される。なお、図４においては、図３に示した第１の実施の形態におけるフローチャートと処理内容が同様のステップについては同じステップ番号を付与して説明を省略し、図３との相違点を中心に説明する。
【００３８】
ステップＳ２０４では、制御部２２は、撮影画面内に配置された複数のフォーカスポイントの全て（ｍ×ｎ）に対応する測光情報を測光センサ１５から取得し、測光情報に含まれる色情報に基づいて、各フォーカスポイントについて色演算を行う。具体的には、制御部２２は、ＲＧＢ表色系からＬ＊ａ＊ｂ＊表色系への変換を行うことによって、各フォーカスポイントについての色演算を行う。その後、ステップＳ２０５へ進む。
【００３９】
ステップＳ２０５では、制御部２２は、ステップＳ２０４で演算した色情報に基づいて、肌色が検出されたフォーカスポイントがあるか否かを判断する。本実施の形態では、制御部２２は、Ｌ＊ａ＊ｂ＊表色系におけるａ＊軸の＋ａ＊方向（赤方向）と、ｂ＊軸の＋ｂ方向（黄方向）の中間付近、例えば４５度から所定範囲内に分布している色を肌色と判定し、撮影画面内のフォーカスポイントの中に当該肌色が検出されたフォーカスポイントが１つでもあるか否かを判定する。
【００４０】
ステップＳ２０５で否定判断した場合には、ステップＳ１０７へ進み、肯定判断した場合には、ステップＳ１０６へ進む。ステップＳ１０６では、制御部２２は、肌色が検出されたフォーカスポイント上にフォーカスポイント枠を表示して、ステップＳ１０６１へ進む。これによって、主要被写体である可能性が高い人物の肌の色が検出された箇所にフォーカスポイント枠を表示することができる。例えば、図５に示すように、人物の顔が存在する位置にフォーカスポイント枠を表示することができ、使用者は、この中から合焦させたい被写体上に表示されている１つのフォーカスポイント枠を選択することにより、焦点調節処理で焦点検出に用いるフォーカスポイントを選択することができる。
【００４１】
以上説明した第２の実施の形態によれば、制御部２２は、各フォーカスポイントの色情報に基づいて、複数のフォーカスポイントの少なくとも一部を選択可能に表示するようにした。これによって、撮影画面内の被写体が存在している可能性が高い範囲の中でも、特に主要被写体である可能性が高い人物の肌の色が検出された箇所にフォーカスポイント枠を表示することができる。なお、制御部２２は、高輝度領域の輝度情報とフォーカスポイントごとの輝度情報とを比較して、被写体が存在している可能性が高い範囲を絞り込んでから、色情報に基づいてさらに肌色領域のフォーカスポイントに絞り込むこととしてもよい。
【００４２】
―変形例―
なお、上述した実施の形態のデジタルカメラは、以下のように変形することもできる。
（１）上述した第１および第２の実施の形態では、制御部２２は、構図が変化した場合には、改めて処理を行って、新たな構図に対応したフォーカスポイント枠の表示を行うようにした。しかしながら、制御部２２は、操作部材２０が使用者によって操作されている間は、構図が変化した場合でもフォーカスポイント枠の更新表示を行わないようにしてもよい。
【００４３】
（２）上述した第１および第２の実施の形態では、制御部２２は、測光センサ１５による検出結果に基づいて、撮影画面内における被写体位置を推定してフォーカスポイント枠を表示する例について説明した。しかしながら、デジタルカメラ１００に温度センサや音センサを搭載し、制御部２２は、温度センサや音センサに基づいて撮影画面内における被写体位置を推定するようにしてもよい。例えば、温度センサの出力に基づいて、撮影画面内で温度が人物の体温に近い範囲を被写体位置と推定してもよいし、音センサの出力に基づいて、音の発生源の近傍を被写体位置として推定してもよい。
【００４４】
（３）上述した第１および第２の実施の形態では、制御部２２は、フォーカスポイント表示部１４ｂにフォーカスポイント枠を表示することにより、ファインダ１４内で被写体上にフォーカスポイント枠を重畳して表示する例について説明した。しかしながら、液晶モニタ１８にスルー画を表示している場合には、制御部２２は、液晶モニタ１８上のスルー画にフォーカスポイント枠を重畳して表示してもよい。
（４）上述した第１および第２の実施の形態では、制御部２２は、撮影画面内の上部には高輝度な空が存在している可能性が高いことを加味して、撮影画面内の上部の領域であるｍ列とｍ−１列とに配置されているフォーカスポイントに対応する平均輝度ＢＶａｖｅを算出する例について説明した。しかしながら、撮影画面内の上部の領域として、最も上の列であるｍ列のみを対象として平均輝度ＢＶａｖｅを算出してもよいし、ｍ列からｍ−２列までを対象として平均輝度ＢＶａｖｅを算出してもよい。すなわち、少なくとも最も上の列であるｍ列を含んだ領域を高輝度領域と判定して、平均輝度ＢＶａｖｅを算出すればよい。また、撮影シーンによっては、必ずしも撮影画面の上部が高輝度領域であるとは限らないので、平均輝度ＢＶａｖｅの算出対象とする高輝度領域は撮影シーンに応じて変更するようにしてもよい。
【００４５】
（５）上述した第２の実施の形態では、制御部２２は、各フォーカスポイントにおける色情報の演算結果に基づいて、肌色が検出されたフォーカスポイントにフォーカスポイント枠を表示する例について説明した。しかしながら、使用者が合焦させたい被写体の色は、必ずしも肌色であるとは限らないため、使用者はフォーカスポイント枠の表示対象とする色を任意に設定することができるようにしてもよい。この場合、制御部２２は、図４のステップＳ２０５において、撮影画面内に使用者によって設定された色が検出されたフォーカスポイントがあるか否かを判断し、ある場合には、そのフォーカスポイントを対象としてフォーカスポイント枠を表示すればよい。
【００４６】
（６）上述した第１および第２の実施の形態では、本発明をデジタルカメラ１００に適用する例について説明した。しかしながら、本発明は、焦点調節機能を備える他の機器、例えばカメラ付き携帯電話等にも適用可能である。
【００４７】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４８】
１００  デジタルカメラ、１０  撮影レンズ、１２  ミラー部、１２ａ  メインミラー、１２ｂ  サブミラー、１４  ファインダ、１４ａ  プリズム、１４ｂ  フォーカスポイント表示部、１４ｃ  スクリーン、１５  測光センサ、１６  ＣＣＤ、１８  液晶モニタ、２０  操作部材、２２  制御部、２４  フォーカス制御部、２６  測距部、２８  シャッターボタン、３０  レンズ通信部
【図１】
2010266503.tif 000003
【図２】
2010266503.tif 000004
【図３】
2010266503.tif 000005
【図４】
2010266503.tif 000006
【図５】
2010266503.tif 000007